(57)【要約】【課題】  ディスク挿入口の内側両側にディスク搬送用のローラーを設け、該ローラーによって挿入されたディスクを挟み込んでターンテーブルまで引き込む為の引き込み装置を備えたディスク装置であって、ディスクがスリップすることなく安定して搬送されるディスク装置の提供。【解決手段】  ディスク挿入口の一方側のローラーはモーターにて回転する駆動ローラー８，９とし、入口の反対側には外方向へ移動するスライダー２０から起立する固定軸に支持ローラー１０，１１を回転自在に軸支し、該支持ローラー１０，１１の軸穴２８は正六角形断面とし、該軸穴２８に嵌る軸外周には平坦面３０を形成し、ディスクが上記駆動ローラー８，９との間に挟み込まれて搬送される際には、支持ローラー１０，１１の軸穴２８が軸２９に係合して回転が規制される。【選択図】    図６
2006185519.tif 000002
【特許請求の範囲】
【請求項１】
ディスク挿入口の両側には搬送用のローラーを設け、該ローラーによって挿入されたディスクを挟み込んでターンテーブルまで引き込む為の引き込み装置を備えたディスク装置において、入口の一方側のローラーはモーターにて回転する駆動ローラーとし、入口の反対側には外方向へ移動するスライダーから起立する固定軸に支持ローラーを回転自在に軸支し、該支持ローラーの軸穴には係合部を形成すると共に該軸穴に嵌る軸にも係合部を設け、ディスクが上記駆動ローラーとの間に挟み込まれて搬送される際には、軸穴の係合部が軸係合部に係合して回転が規制されることを特徴とする搬送ローラーを備えたディスク装置。
【請求項２】
ディスク挿入口の両側には夫々２個の搬送用ローラーを設け、該ローラーによって挿入されたディスクを挟み込んでターンテーブルまで引き込む為の引き込み装置を備えたディスク装置において、入口の一方側のローラーはモーターにて回転する第１駆動ローラーを定位置に設けると共に，該第１駆動ローラーの軸を中心として揺動するアーム先端には第２駆動ローラーを取付けて互いに連動し、入口の反対側には外方向へ移動するスライダーから起立する固定軸に第１支持ローラーと第２支持ローラーを回転自在に軸支し、ディスクが上記第１駆動ローラー及び第２駆動ローラーとの間に挟み込まれて搬送される際には、該支持ローラーの軸穴に形成した係合部が該軸穴に嵌る軸に形成した係合部に係合して回転が規制され、そしてアームは内側へ傾斜すると共にスライダーには内側へ寄るバネ力を付勢したことを特徴とする搬送用ローラーを備えたディスク装置。
【請求項３】
上記支持ローラーの軸穴断面を正六角形とし、軸外周には平坦面を形成した請求項１、又は請求項２記載の搬送用ローラーを備えたディスク装置。
【請求項４】
上記支持ローラーの軸穴断面をコーナーに丸みを形成した概略正方形とし、同じく軸断面もコーナーに丸みを形成した概略正方形断面とした請求項１、又は請求項２記載の搬送用ローラーを備えたディスク装置。
【請求項５】
上記支持ローラーの軸穴内周面にはスリット溝を軸方向に形成し、軸外周には軸方向へ延びる凸部を突出した請求項１、又は請求項２記載の搬送用ローラーを備えたディスク装置。
【発明の詳細な説明】
【技術分野】
【０００１】
本発明はディスク挿入口の左右に設けたローラーにてディスクを挟み込んで搬送する型式のディスク装置に関するものである。
【背景技術】
【０００２】
ディスク装置はディスクをターンテーブルに装着した状態で回転しながら光ピックアップユニットを移動させることにより、情報の記録・再生が行われるが、上記ターンテーブルにディスクを装着する方法は色々ある。その代表的な方法は、前進・後退動するトレーに載せて装置本体へ挿入する方法であり、又ディスクを挿入口から一部挿入すると、装置内部に設けていて引き込むことが出来る引き込み装置によって、所定の位置まで引き込んでターンテーブルに装着する方法がある。
【０００３】
本発明が対象とするディスク装置は、後者の方法によってターンテーブルに装着する型式のスロットインタイプのディスク装置である。このディスク装置にはフロントパネルに細い挿入口が設けられているだけであり、該挿入口からディスクの一部が挿入されることで、ターンテーブルまで搬入して装着される。出願人は平成１４年１０月２８日付けで「ディスクの搬入装置」に関する特許出願を行っている(特開２００４−１４６０２２号)。
【０００４】
このディスクの搬入装置は、ディスク挿入口の両側に夫々２個のローラーを設け、該ローラーによって挿入されたディスクを挟み込んでターンテーブルまで搬入するように構成し、一方側のローラーは挿入口側に第１駆動ローラーを定位置に設けると共に，該第１駆動ローラーの軸を中心として揺動するアーム先端には第２駆動ローラーを取付けて互いに連動し、挿入口の反対側には外方向へ移動するスライダーに第１ローラーと第２ローラーを回転自在に軸支し、そしてアームは内側へ傾斜すると共にスライダーは内側へ寄るバネ力を付勢した構造と成っている。
【０００５】
ところで、上記第１ローラー及び第２ローラーは回転可能に軸支されてはいるが、第１駆動ローラー及び第２駆動ローラーとで挟んでディスクを搬入する時には、簡単に回転してはならない。すなわち、第１ローラー及び第２ローラーにディスク外周を当てると共に、該第１ローラー及び第２ローラーを支点としてディスクは第１駆動ローラー及び第２駆動ローラーにより回転させられる。その結果、ディスクは装置内部へ引き込まれることに成る。
【０００６】
しかし、上記第１ローラー及び第2ローラーが殆ど回転しないような状態で軸支した場合、ディスク外周に当たる位置は常に一定と成って摩耗し、又外周に付着している汚れによって該第１ローラー及び第２ローラーの特定箇所が汚れてしまう。従って、ディスクの支点として受ける箇所がスリップしてしまい、ディスクを装置内へ搬入する妨げの原因となる。
【０００７】
従来においても、ディスク搬入用ローラーに関しては色々知られている。例えば、特開２００２−３１３００４号に係る「ディスクローディングロール」は、ディスクを確実にローディングでき、且つ鳴きを防止することが出来るように、外径が軸方向に亘って変化した外周面を有すゴム弾性体から成ると共に、ディスクの周縁部に当接してディスクをローディングするディスクローディングロールの内周面が凹凸面としている。
【０００８】
特開平１０−３０２３６５号に係る「メモリープレートのための再生装置」は、搬送の際のメモリープレートの負荷を出来るだけ小さくする為に、進入平面に狭  部を備えており、メモリープレートの縁部領域が挿入シャフトに対するメモリープレートの押し込み及び／又は押出しに際して、回転軸に対してほぼ垂直に狭  部内に係合して、メモリープレートの搬送に際して狭部内を案内される。
【特許文献１】特開２００４−１４６０２２号に係る「ディスクの搬入装置」
【特許文献２】特開２００２−３１３００４号に係る「ディスクローディングロール」
【特許文献３】特開平１０−３０２３６５号に係る「メモリープレートのための再生装置」
【発明の開示】
【発明が解決しようとする課題】
【０００９】
このように、従来のディスク装置には上記のごとき問題がある。本発明が解決しようとする課題はこれら問題点であり、第１ローラー及び第２ローラーが自由に回転可能に軸支されると共に、ディスクを挟んで搬送する際には回転しないようにロック状態となる搬送ローラーを備えたディスク装置を提起する。
【課題を解決するための手段】
【００１０】
本発明に係るディスク装置はディスクをフロント開口から挿入することで内部の引き込み装置によって引き込まれるスロットインタイプのものである。該引き込み装置は駆動ローラーと支持ローラーを備えて両ローラーにて挟み込んで搬送することが出来る。従って、基本的な構造は従来のディスク装置と共通し、駆動ローラーがモーターにて回転することで支持ローラーとの間に挟まれたディスクは搬送される。
【００１１】
ところで、上記支持ローラーは支持軸に軸支されて回転可能な状態にあるが、駆動ローラーとの間でディスクを挟み込んだ状態では回転しないようにロックされる。その為に、軸断面は円形でなく係合部を形成した非円形断面とし、該軸が嵌る支持ローラーの軸穴断面も円形ではなく係合部を形成した非円形断面を有し、両係合部が互いに係合することで支持ローラーの回転が阻止される。ここで、係合部の形状は色々ある為に特に限定するものではない。
【発明の効果】
【００１２】
本発明のディスク装置に備わっている引き込み装置を構成する支持ローラーは回転自在に軸支されているが、駆動ローラーとでディスクを挟み込んだ場合には、軸の係合部と軸穴の係合部とが互いに係合することで回転しないようにロックされる。従って、ディスク外周の一方側は上記支持ローラーに当たって回転しない状態で支持され、他方側は駆動ローラーの回転に伴って回転することが出来る。
【００１３】
従って、ディスクはスムーズに両ローラーに挟まれて装置内部へ引き込まれる。この際、ディスク搬送時以外の支持ローラーは回転自在な状態にある為に、ディスク外周に当たる箇所は変化する。ディスク外周に付着している汚れは支持ローラーを汚すことに成るが、特定の１箇所ではない為に汚れが蓄積することはなく、その為に支持ローラーに挟まれて支持されるディスクがスリップすることはない。又、該支持ローラーの特定箇所が摩耗するといったことも解消される。
【実施例】
【００１４】
図１はディスク装置を収容したキャビネット１のフロントパネル２に設けた挿入口３にディスク４の一部が挿入されている場合を示している。この挿入口３にディスク４を一部挿入するならば、ディスク装置に取付けられている引き込み装置により該ディスク４が引き込まれてターンテーブルに装着される。そして、取り出す際にも同じ引き込み装置によって挿入口３から排出される。
【００１５】
図２は上記キャビネット1に収容されるディスク装置５を示す実施例であり、上記キャビネット１の挿入口3の奥側であって、ディスク装置５の正面入口７には挿入されるディスク４が通過する際に、表面に付着しているゴミや汚れを除去する為のフェルト６が設けられている。そして、入口７の左側には第１駆動ローラー８と第２駆動ローラー９が設けられ、入口７の右側には第１支持ローラー１０と第２支持ローラー１１が設けられている。
【００１６】
そして、中央部にはトラバースユニットに取付けられて引き込まれたディスク４を載置するターンテーブル１２を有し、ターンテーブル１２との間にディスク４を挟んでクランプするクランパー１３を連結上板１４に備えている。又、ターンテーブル１２に載って回転するディスク４の記録情報を読み取ったり、逆に情報を記録する為の光ピックアップユニット１５を有している。
【００１７】
図３はディスク装置５の引き込み装置を示す実施例である。入口７の左側には第１駆動ローラー８がシャーシの定位置に取付けられ、該第１駆動ローラー８の軸を中心として揺動するアーム１６を設けると共に、該アーム１６の先端には上記第２駆動ローラー９を取付けている。又、第１駆動ローラー８には第１ギア１７が同心を成して取着され、第２駆動ローラー９にも第２ギア１８が同心を成して取付けられている。
【００１８】
そして、アーム１６には中間ギア１９が上記第１ギア１７と第２ギア１８との間に介在して互いに噛み合い、第１駆動ローラー８が所定のモーターによって回転駆動するならば、上記第１ギア１７、中間ギア１９、及び第２ギア１８を介して第２駆動ローラー９は回転する。又、第２駆動ローラー９は揺動するアーム１６の先端に取付けられている為に、該アーム１６の揺動によってその位置は変化する。すなわち、入口７から挿入されるディスク４の位置に応じて、ディスク４の外周に当接することが出来るようにアーム１６は揺動することが出来る。
【００１９】
一方、入口７の右側には第１支持ローラー１０がスライダー２０に回転自在に軸支され、同じく第２支持ローラー１１もスライダー２０に回転自在に軸支されている。そして、該スライダー２０はガイド溝(図示なし)に沿って外方向へ移動することが出来る。すなわち、挿入口３から入口７を通過して挿入されるディスク４の位置に応じて、第１支持ローラー１０及び第２支持ローラー１１がディスク外周に当接することが出来るようにスライダー２０は外方向へ移動する。
【００２０】
又、スライダー２０には右リンク２１が取着されて入口側(中央側)へ延び、上記アーム１６には別の左リンク２２が連結し、そして軸２３を中心として回動自在に成っている中リンク２４の両先端には、上記右リンク２１の先端及び左リンク２２の先端が夫々連結している。右リンク２１はスライダー２０から延びていて揺動はしない為に、先端に形成された長穴２５に中リンク２４の連結ピン２６が遊嵌している。
【００２１】
ところで、入口７からディスク４が挿入されるならば、図３に示しているように、該ディスク４の外周は第１駆動ローラー８と第１支持ローラー１０に当接する。入口７からディスク４が挿入されたことをセンサーが感知して上記第１駆動ローラー８がモーターによって回転する。回転方向はディスク４が内部へ引き込まれる方向であり、該ディスク４をさらに手前から押圧するならば、内部へと引き込まれる。
【００２２】
ここで、ディスク４が入口７から進入するにしたがって、第１駆動ローラー８と第１支持ローラー１０間の距離は拡大する為に、第１支持ローラー１０はスライダー２０と共に外方向へ移動する。ただし、第１支持ローラー１０がディスク外周に常に接するようにバネ力が付勢されている。このバネ力を付勢する手段は限定されず、スライダー２０に直接付勢する場合、中リンク２４の軸２３にコイルバネを取付けて、該中リンク２３を時計方向に回動するように付勢することも出来るが、同図に示す実施例では、左リンク２２と右リンク２１間にコイルスプリング２７を連結している。
【００２３】
そして、ディスク４がさらに進入するならば奥側へ移動し、左側の第２駆動ローラー９と右側の第２支持ローラー１１に当接する。すなわち、ディスク４は第１駆動ローラー８と第２駆動ローラー９、及び第１支持ローラー１０と第２支持ローラー１１の４個のローラーによって挟まれ、第１駆動ローラー８と第２駆動ローラー９が共に回転駆動することにより、ディスク４は奥側へ搬入される。この位置まで達するならば、手でディスク後方を押圧しなくても引き込み装置にて自動的に搬入される。
【００２４】
図４は図３の状態からディスク４が引き込まれて４個のローラーにて挟まれた状態２０を表している。さらに引き込まれるならば、図５に示すようにディスク４は第２駆動ローラー９と第２支持ローラー１１に押されてターンテーブル付近に達する。そして、ターンテーブルに装着される場合には、図５に示す位置から奥へ移動して第２駆動ローラー９及び第２支持ローラー１１はディスク４から離れなくてはならない。
【００２５】
左側の第２駆動ローラー９はアーム１６の先端に取付けられ、又右側の第２支持ローラー１１はスライダー２０に取付けられているために、アーム１６とスライダー２０を連結している左右リンク２１，２２を作動することで行うことが出来る。又、中リンク２４を反時計方向に回動することで、第２駆動ローラー９及び第２支持ローラー１１をディスク４から離すことが出来る。
【００２６】
ところで、引き込み装置を構成する第１駆動ローラー８及び第２駆動ローラー９はモーターによって回転駆動してディスク４を引き込むことが出来る。一方の第１支持ローラー１０及び第２支持ローラー１１は固定軸に回転自在に軸支されているが、モーターにて回転駆動されるものではない。すなわち、第１支持ローラー１０及び第２支持ローラー１１に挿入されたディスク４の右側外周の一部を支持した状態で第１駆動ローラー８及び第２駆動ローラー９が反時計方向に回転するならば、ディスク４は第１支持ローラー１０又は第２支持ローラー１１を支点として回転しながら装置内部へ引き込まれる。
【００２７】
従って、第１支持ローラー１０及び第２支持ローラー１１は回転する必要はなく、むしろ回転しないほうが好ましい。しかし、第１支持ローラー１０が全く回転しない状態で取付ける場合には、ディスク４を挿入する際に入れ難く、又常に同じ箇所がディスク４と当接することで摩耗し易く、ディスク４の外周に付着しているゴミや汚れが第１支持ローラー１０及び第２支持ローラー１１に移ってしまう。その為に、第１支持ローラー１０及び第２支持ローラー１１を回転しない状態で取付けた場合であっても、ディスク４が付着した汚れによってスリップして引き込み動作に支障を生じる。
【００２８】
そこで、本発明のディスク装置では、通常は回転自在な状態であるが、ディスク４を引き込む際に第１駆動ローラー８及び第２駆動ローラー９を挟み込む場合には、第１支持ローラー１０及び第２支持ローラー１１は回転しないでロックされる支持構造としている。その為に、第１支持ローラー及び第２支持ローラーの軸穴には係合部を形成し、同じく軸外周にも係合部を設けている。
【００２９】
図６は第１支持ローラー１０の支持構造断面を表しており、第１支持ローラー１０は中心に軸穴２８を有し、該軸穴２８には軸２９が嵌っている。軸穴２８は正六角形を成し、軸２９の一部が切欠かれて平坦面３０を形成している。しかし、スライダー２０から固定状態で起立する軸２９に軸支された第１支持ローラー１０は自由に回転することが出来る。
【００３０】
(ｂ)は第１駆動ローラー８とでディスク４を挟み込んだ状態であり、ディスク４の外周縁にて第１支持ローラー１０は外方向(右方向)へ押された状態であり、正六角形の軸穴２８の内側面３１が軸２９の平坦面３０と係合する。従って、第１支持ローラー１０は回転することなくロックされ、ディスク４の１点を支点として定位置で支えることが出来、第１駆動ローラー８の回転によってディスク４は該支点を中心に回転して引き込まれる。
【００３１】
図７は第１支持ローラー１０の支持構造を示す他の具体例である。同図に示す第１支持ローラー１０の軸穴２８はコーナーに丸みを形成した概略正方形を成し、軸２９も同じくコーナーに丸みを形成した概略正方形断面と成っている。このように軸穴２８及び軸２９が概略正方形であっても、軸２９に軸支された第１支持ローラー１０は自由に回転することが出来る。しかし、(ｂ)に示すように第１駆動ローラー８とでディスク４を挟み込んで、ディスク４の外周縁にて第１支持ローラー１０が外方向(右方向)へ押されたならば、正方形の軸穴２８の内側面３１が軸２９の平坦面３０と係合する。従って、第１支持ローラー１０は回転することなくロックされる。
【００３２】
図８は第１支持ローラー１０の支持構造を示す更なる別の具定例である。同図に示す第１支持ローラー１０の軸穴２８は４箇所にスリット溝３２，３２・・を軸方向に設け、一方の軸２９の外側には軸方向へ延びる凸部３３，３３・・を突出している。この状態では、軸穴２８の内径は凸部３３の外径より大きい為に第１支持ローラー１０は回転することは出来る。しかし、(ｂ)に示すように第１駆動ローラー８とでディスク４を挟み込んで、ディスク４の外周縁にて第１支持ローラー１０が外方向(右方向)へ押されたならば、軸穴２８に形成したスリット溝３２に軸２９から突出した凸部３３が嵌入する。従って、第１支持ローラー１０は回転することなくロックされる。
【００３３】
このように、ディスク４を第１駆動ローラー８とで挟み込む場合には、第１支持ローラーの軸穴に形成した係合部が軸に設けた係合部と互いに係合することで回転が阻止される。これは第２支持ローラー１１の場合も同じように構成することが出来る。そして、通常は回転自在であり、ディスク４を入口７から挿入する場合には僅かに回転することが出来る。
【図面の簡単な説明】
【００３４】
【図１】ディスク装置を収容したキャビネット外観図。
【図２】ディスク装置の平面図及び正面図。
【図３】ディスクの引き込み装置を示す実施例。
【図４】ディスクがある程度引き込まれて、４個のローラーにて支持されている場合。
【図５】ディスクがターンテーブル付近まで引き込まれた場合。
【図６】第１支持ローラーの支持構造を示す具体例。
【図７】第１支持ローラーの支持構造を示す具体例。
【図８】第１支持ローラーの支持構造を示す具体例。
【符号の説明】
【００３５】
１  キャビネット
２  フロントパネル
３  挿入口
４  ディスク
５  ディスク装置
６  フェルト
７  入口
８  第１駆動ローラー
９  第２駆動ローラー
10  第１支持ローラー
11  第２支持ローラー
12  ターンテーブル
13  クランパー
14  連結上板
15  光ピックアップユニット
16  アーム
17  第１ギア
18  第２ギア
19  中間ギア
20  スライダー
21  右リンク
22  左リンク
23  軸
24  中リンク
25  長穴
26  連結ピン
27  コイルスプリング
28  軸穴
29  軸
30  平坦面
31  内側面
32  スリット溝
33  凸部
【図１】
2006185519.tif 000003
【図２】
2006185519.tif 000004
【図３】
2006185519.tif 000005
【図４】
2006185519.tif 000006
【図５】
2006185519.tif 000007
【図６】
2006185519.tif 000008
【図７】
2006185519.tif 000009
【図８】
2006185519.tif 000010